(57)【要約】【課題】  偏光メガネを着用する方式の３Ｄディスプレイ装置において、ユーザーの認知するイメージの画質を改善し、偏光状態の操作による色の歪みの問題を解決できるディスプレイ装置及び映像処理方法を提供する。【解決手段】  本発明に係るディスプレイ装置は、左眼映像及び右眼映像を含む映像信号を受信する信号受信部と、前記映像信号を表示可能な形態に処理する信号処理部と、前記処理された左眼映像及び右眼映像を表示するディスプレイパネルと、前記ディスプレイパネルの前面に設けられ、前記左眼映像を第１偏光、前記右眼映像を第２偏光の光として通過させる偏光部と、前記偏光部を通過する第１偏光及び第２偏光の光の色の歪みを補償するように前記信号処理部を制御する制御部と、を備える。【選択図】      図３
2013081167.tif 000002
【特許請求の範囲】
【請求項１】
左眼映像及び右眼映像を含む映像信号を受信する信号受信部と、
前記映像信号を表示可能な形態に処理する信号処理部と、
前記処理された左眼映像及び右眼映像を表示するディスプレイパネルと、
前記ディスプレイパネルの前面に設けられ、前記左眼映像を第１偏光、前記右眼映像を第２偏光の光として通過させる偏光部と、
前記偏光部を通過する第１偏光及び第２偏光の光の色の歪みを補償するように前記信号処理部を制御する制御部と、
を備えることを特徴とするディスプレイ装置。
【請求項２】
前記左眼映像及び前記右眼映像は交互に表示され、
前記偏光部は、３Ｄ出力モードでは、前記左眼映像及び前記右眼映像を前記第１偏光及び前記第２偏光の光として交互に通過させることを特徴とする、請求項１に記載のディスプレイ装置。
【請求項３】
前記制御部は、前記第１偏光の光を透過する左眼レンズ及び前記第２偏光の光を透過する右眼レンズを有する３Ｄメガネを通過した光の色の歪みを補償するように前記信号処理部を制御することを特徴とする、請求項１に記載のディスプレイ装置。
【請求項４】
３Ｄメガネにおける色の歪み情報及び前記偏光部における色の歪み情報の少なくとも一方が記憶された記憶部をさらに備え、
前記制御部は、前記記憶部に記憶された情報に基づいて前記信号処理部を制御することを特徴とする、請求項１に記載のディスプレイ装置。
【請求項５】
前記偏光部を通過する前記第１偏光及び前記第２偏光の光の色の歪み度合を測定する色の歪み測定部をさらに備え、
前記制御部は、前記色の歪み測定部の測定結果に基づいて前記映像を補償するように制御することを特徴とする、請求項１に記載のディスプレイ装置。
【請求項６】
前記ディスプレイパネルを駆動するパネル駆動部をさらに備え、
前記制御部は、前記色の歪み度合に基づき、前記パネル駆動部のＲ、Ｇ、Ｂの駆動電圧が調整されるように制御することを特徴とする、請求項１に記載のディスプレイ装置。
【請求項７】
前記偏光部は、前記第１偏光及び前記第２偏光を線偏光として通過させ、
前記第１偏光及び前記第２偏光の偏光方向は、相互垂直であることを特徴とする、請求項１に記載のディスプレイ装置。
【請求項８】
前記偏光部は、前記第１偏光及び前記第２偏光を円偏光として通過させ、
前記第１偏光及び前記第２偏光の偏光方向は、相互反対方向であることを特徴とする、請求項１に記載のディスプレイ装置。
【請求項９】
左眼映像及び右眼映像が表示されるディスプレイパネルと、前記ディスプレイパネルの前面に設けられ、前記左眼映像を第１偏光、前記右眼映像を第２偏光の光として通過させる偏光部と、を備えるディスプレイ装置における映像処理方法であって、
左眼映像及び右眼映像を含む映像信号を受信する段階と、
前記映像信号を表示可能な形態に処理する段階と、
前記偏光部を通過する第１偏光及び第２偏光の光の色の歪みを補償する段階と、
を含むことを特徴とする映像処理方法。
【請求項１０】
前記左眼映像及び前記右眼映像は交互に表示され、
前記偏光部は、３Ｄ出力モードでは、前記左眼映像及び前記右眼映像を前記第１偏光及び第２偏光の光として交互に通過させることを特徴とする、請求項９に記載の映像処理方法。
【請求項１１】
前記色の歪みを補償する段階は、
前記第１偏光の光を透過する左眼レンズ及び前記第２偏光の光を透過する右眼レンズを有する３Ｄメガネを通過した光の色の歪みを補償する段階を含むことを特徴とする、請求項９に記載の映像処理方法。
【請求項１２】
３Ｄメガネの色の歪み情報及び前記偏光部の色の歪み情報の少なくとも一方を記憶する段階をさらに含み、
前記色の歪みを補償する段階は、
前記記憶された情報に基づいて前記色の歪みを補償することを特徴とする、請求項９に記載の映像処理方法。
【請求項１３】
前記偏光部を通過する前記第１偏光及び前記第２偏光の光の色の歪み度合を測定する段階をさらに含み、
前記色の歪みを補償する段階は、
前記測定された色の歪み度合に基づいて前記色の歪みを補償することを特徴とする、請求項９に記載の映像処理方法。
【請求項１４】
前記色の歪みを補償する段階は、
前記色の歪み度合に基づき、前記ディスプレイパネルを駆動するＲ、Ｇ、Ｂの駆動電圧を調整することによって、前記色の歪みを補償することを特徴とする、請求項９に記載の映像処理方法。
【請求項１５】
前記偏光部は、前記第１偏光及び前記第２偏光を線偏光として通過させ、
前記第１偏光及び前記第２偏光の偏光方向は、相互垂直であることを特徴とする、請求項９に記載の映像処理方法。
【発明の詳細な説明】
【技術分野】
【０００１】
本発明は、ディスプレイ装置及び映像処理方法に係り、特に、偏光メガネを着用する方式の３Ｄディスプレイ装置に関する。
【背景技術】
【０００２】
ディスプレイ装置は、外部から入力されたり内部に記憶されている映像信号または映像データを様々なプロセスにより処理して、パネルまたはスクリーン上に映像として表示する装置で、ＴＶ、モニターなどの様々な方式のものとすることができる。技術の発展に伴い、ユーザーが視聴中の画面について立体感を感じることができる３Ｄディスプレイ装置が出現することとなった。かかる３Ｄディスプレイ装置は、ユーザーの左眼と右眼で認知する映像を異なるように表示し、異なる左眼映像及び右眼映像をユーザーが両眼で同時に認知することで立体感を感じるようになっている。
【０００３】
３Ｄディスプレイ装置の最も普遍的な方法は、３Ｄメガネを掛け、左眼映像及び右眼映像をそれぞれ左眼及び右眼で認知するようにするものである。その例には、光の偏光特性を用いるもので、偏光メガネをユーザーが掛けることで両眼でそれぞれの映像を認知できるようにする方式と、映像フレームを時間的に分割して左眼及び右眼映像を交互にディスプレイパネルに表示し、ユーザーがアクティブシャッターメガネを介して左眼映像は左眼で、右眼映像は右眼で認知できるようにする方式などがある。
【０００４】
しかしながら、上述のような、３Ｄメガネの着用を要する３Ｄディスプレイ装置では、色分散のような色の歪みにより、元来ディスプレイしようとした正確なイメージが感じられない場合がある。
【発明の概要】
【発明が解決しようとする課題】
【０００５】
したがって、本発明の目的は、３Ｄディスプレイ装置において、ユーザーの認知するイメージの画質を改善できるディスプレイ装置及び映像処理方法を提供することにある。
【課題を解決するための手段】
【０００６】
上記目的は、本発明により、左眼映像及び右眼映像を含む映像信号を受信する信号受信部と、前記映像信号を表示可能な形態に処理する信号処理部と、前記処理された左眼映像及び右眼映像を表示するディスプレイパネルと、前記ディスプレイパネルの前面に設けられ、前記左眼映像を第１偏光、前記右眼映像を第２偏光の光として通過させる偏光部と、前記偏光部を通過する第１偏光及び第２偏光の光の色の歪みを補償するように前記信号処理部を制御する制御部と、を備えることを特徴とするディスプレイ装置によって達成できる。
【０００７】
ここで、前記左眼映像及び前記右眼映像は交互に表示され、前記偏光部は、３Ｄ出力モードでは、前記左眼映像及び前記右眼映像を前記第１偏光及び前記第２偏光の光として交互に通過させることができる。
【０００８】
ここで、前記制御部は、前記第１偏光の光を透過する左眼レンズ及び前記第２偏光の光を透過する右眼レンズを有する３Ｄメガネを通過した光の色の歪みを補償するように前記信号処理部を制御することができる。
【０００９】
また、前記ディスプレイ装置は、３Ｄメガネにおける色の歪み情報及び前記偏光部における色の歪み情報の少なくとも一方が記憶された記憶部をさらに備え、前記制御部は、前記記憶部に記憶された情報に基づいて前記信号処理部を制御することができる。
【００１０】
また、前記ディスプレイ装置は、前記偏光部を通過する前記第１偏光及び前記第２偏光の光の色の歪み度合を測定する色の歪み測定部をさらに備え、前記制御部は、前記色の歪み測定部の測定結果に基づいて前記映像を補償するように制御することができる。
【００１１】
また、前記ディスプレイ装置は、前記ディスプレイパネルを駆動するパネル駆動部をさらに備え、前記制御部は、前記色の歪み度合に基づき、前記パネル駆動部のＲ、Ｇ、Ｂの駆動電圧が調整されるように制御することができる。
【００１２】
ここで、前記偏光部は、前記第１偏光及び前記第２偏光を線偏光として通過させ、前記第１偏光及び前記第２偏光の偏光方向は、相互垂直でよい。
【００１３】
ここで、前記偏光部は、前記第１偏光及び前記第２偏光を円偏光として通過させ、前記第１偏光及び前記第２偏光の偏光方向は、相互反対方向でよい。
【００１４】
また、上記目的は、本発明により、左眼映像及び右眼映像が表示されるディスプレイパネルと、前記ディスプレイパネルの前面に設けられ、前記左眼映像を第１偏光、前記右眼映像を第２偏光の光として通過させる偏光部と、を備えるディスプレイ装置における映像処理方法であって、左眼映像及び右眼映像を含む映像信号を受信する段階と、前記映像信号を表示可能な形態に処理する段階と、前記偏光部を通過する第１偏光及び第２偏光の光の色の歪みを補償する段階と、を含むことを特徴とする映像処理方法により達成できる。
【００１５】
ここで、前記左眼映像及び前記右眼映像は交互に表示され、前記偏光部は、３Ｄ出力モードでは、前記左眼映像及び前記右眼映像を前記第１偏光及び第２偏光の光として交互に通過させることができる。
【００１６】
ここで、前記色の歪みを補償する段階は、前記第１偏光の光を透過する左眼レンズ及び前記第２偏光の光を透過する右眼レンズを有する３Ｄメガネを通過した光の色の歪みを補償する段階を含むことができる。
【００１７】
また、前記映像処理方法は、３Ｄメガネの色の歪み情報及び前記偏光部の色の歪み情報の少なくとも一方を記憶する段階をさらに含み、前記色の歪みを補償する段階は、前記記憶された情報に基づいて前記色の歪みを補償することができる。
【００１８】
また、前記映像処理方法は、前記偏光部を通過する前記第１偏光及び前記第２偏光の光の色の歪み度合を測定する段階をさらに含み、前記色の歪みを補償する段階は、前記測定された色の歪み度合に基づいて前記色の歪みを補償することができる。
【００１９】
ここで、前記色の歪みを補償する段階は、前記色の歪み度合に基づき、前記ディスプレイパネルを駆動するＲ、Ｇ、Ｂの駆動電圧を調整することによって、前記色の歪みを補償することができる。
【００２０】
ここで、前記偏光部は、前記第１偏光及び前記第２偏光を線偏光として通過させ、前記第１偏光及び前記第２偏光の偏光方向は、相互垂直でよい。
【００２１】
ここで、前記偏光部は、前記第１偏光及び前記第２偏光を円偏光として通過させ、前記第１偏光及び前記第２偏光の偏光方向は、相互反対方向でよい。
【発明の効果】
【００２２】
以上説明したように、本発明によれば、３Ｄディスプレイ装置において、ユーザーの認知するイメージの画質を改善し、色の歪みの問題を解決できるディスプレイ装置及び映像処理方法を提供することが可能になる。
【図面の簡単な説明】
【００２３】
【図１】本発明に係るディスプレイ装置の映像が偏光してユーザーに伝達される過程を示す図である。
【図２】本発明に係るディスプレイ装置で発生する色の歪みの問題を示す図である。
【図３】本発明に係るディスプレイ装置の制御ブロック図である。
【図４】本発明によって色の歪みを補償して出力される映像の輝度成分変化を示す図である。
【図５】本発明に係る映像処理方法の第１の実施例を示すフローチャートである。
【図６】本発明に係る映像処理方法の第２の実施例を示すフローチャートである。
【発明を実施するための形態】
【００２４】
以下、添付の図面を参照しつつ、本発明の実施例について、本発明の属する技術の分野における通常の知識を有する者が容易に実施できるように詳細に説明する。本発明は様々な形態に実施することができ、ここに説明する実施例に限定されない。本発明を明確に説明するために説明と関係ない部分は省略し、かつ明細書全体を通じて同一または類似の構成要素には同一の参照符号を付ける。
【００２５】
図１は、本発明に係る、ディスプレイ装置２００の映像が偏光してユーザーに伝達される過程の一例を示す図である。
【００２６】
図１を参照すると、ディスプレイパネル２０には左眼映像１１及び右眼映像１２が交互に出力され、偏光部３０は、映像信号に同期して、左眼映像１１及び右眼映像１２を互いに異なる第１偏光４１及び第２偏光４２に交互に通過させ、ユーザーの着用した３Ｄメガネ２００の左眼レンズ及び右眼レンズはそれぞれ、第１偏光４１または第２偏光４２のみを通過させるように構成されているため、ユーザーは左眼では左眼映像、右眼では右眼映像のみを認知することができる。このような方式の３Ｄディスプレイ装置は、従来の３Ｄ方式に比べて、軽くて便利な３Ｄメガネを着用すると共に、解像度の低下を防止しながらもユーザーの目の疲労を低減できる効果がある。
【００２７】
然るに、このような３Ｄディスプレイ方式の場合、偏光部３０と３Ｄメガネ２００による色分散のような色の歪みが発生することがある。色分散とは、ディスプレイパネル２０に発された光源成分が偏光部３０と３Ｄメガネ２００を順次に通過しながら、偏光状態に操作が加えられる時にＲ、Ｇ、Ｂ光源が一様に処理されず、特定の色成分がディスプレイパネル２０に発されたそれぞれの色成分とは異なってくる現象のことを指す。
【００２８】
図２に示すように、バックライト（図示せず）からフルホワイトカラーが出力されてディスプレイパネル２０に表示される場合に、左眼映像及び右眼映像には（ａ−１）及び（ａ−２）のように、同一のＲ、Ｇ、Ｂの輝度成分を有する光が出力される。この光は、偏光部３０を通過しながら、（ｂ−１）及び（ｂ−２）のようにそれぞれ、左眼映像についてはＲ及びＢ成分が減少し、右眼映像についてはＢ成分が減少することがある。続いて、３Ｄメガネを通過しながら、（ｃ−１）及び（ｃ−２）のように、Ｒ、Ｇ、Ｂ輝度成分の差はより大きくなり、左眼映像及び右眼映像における各カラーの成分別輝度差が発生することがある。
【００２９】
以下では、このような色分散のような色の歪みを補償するためのディスプレイ装置及び映像処理方法について説明する。
【００３０】
図３は、本発明に係るディスプレイ装置１００の制御ブロック図である。
【００３１】
本発明に係るディスプレイ装置１００は、信号受信部１１０、信号処理部１２０、ディスプレイパネル１３０、偏光部１４０、制御部１５０を備える。ディスプレイ装置１００は、ＴＶ、モニターなどでよく、３Ｄ映像コンテンツを表示できるものであるが、具体例はこれに限定されない。
【００３２】
信号受信部１１０は、左眼映像及び右眼映像を含む映像信号を受信する。図示せぬ外部の映像供給源から、３Ｄ映像コンテンツを含む映像信号を受信する。このような映像供給源は特に限定されず、ＣＰＵ及びグラフカードで映像信号を生成し、これをローカル（ｌｏｃａｌ）に提供するコンピュータ本体、映像信号をネットワークに提供するサーバー、地上波またはケーブルを用いて放送信号を送出する放送局の送出装置などを含め、様々な映像供給源から映像信号を受けることができる。信号受信部１１０が受信する映像信号については、３Ｄ映像コンテンツの表示のために、左眼映像及び右眼映像を区別して受信することができる。
【００３３】
信号処理部１２０は、信号受信部１１０で受信した映像信号を伝達され、これを、後述するディスプレイパネル１３０に表示可能な形態と処理する。信号処理部１２０が行う映像処理には、様々な映像フォーマットに対応するデコーディング（ｄｅｃｏｄｉｎｇ）、デインターレーシング（ｄｅｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ減少、ディテールエンハンスメント（ｄｅｔａｉｌ  ｅｎｈａｎｃｅｍｅｎｔ）、ラインスキャニング（ｌｉｎｅ  ｓｃａｎｎｉｎｇ）などのプロセスがあり、さらには、３Ｄ映像の深さ（ｄｅｐｔｈ）の調節、２Ｄ映像の３Ｄ変換などの機能も果たすことができる。また、信号処理部は、後述する制御部の制御に応じて、出力される映像の色の歪みを補償することができる。
【００３４】
ディスプレイパネル１３０は、信号処理部１２０で処理された左眼映像及び右眼映像を表示する。ディスプレイパネル１３０には、バックライト（図示せず）から出力された光が表示される。ディスプレイパネル１３０は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などとすることができる。
【００３５】
偏光部１４０は、ディスプレイパネル１３０の前面に設けられ、左眼映像を第１偏光、右眼映像を第２偏光の光として通過させる。偏光部１４０は、入射する光を線偏光または円偏光とさせる公知の偏光フィルターで構成することができる。
【００３６】
この場合、左眼映像及び右眼映像は交互に表示され、偏光部１４０は、３Ｄ出力モードでは、左眼映像及び右眼映像を第１偏光及び第２偏光の光として交互に通過させることができる。偏光部１４０には、出力される左眼／右眼映像に同期してハイ／ロー（ｈｉｇｈ／ｌｏｗ）の電圧が交互に入力される。左眼映像が出力される場合には、ハイ電圧が入力され、左眼映像を第１偏光（例えば、水平偏光）として通過させ、右眼映像が出力される場合には、ロー電圧が入力され、右眼映像を第２偏光（例えば、垂直偏光）として通過させる。ここで、第１偏光及び第２偏光は線偏光であり、偏光方向は相互垂直であってもよく、第１偏光及び第２偏光は円偏光または楕円偏光であり、偏光方向は相互反対方向であってもよい。
【００３７】
この場合、ユーザーの着用した３Ｄメガネ２００の左眼レンズは第１偏光のみを通過させ、右眼レンズは第２偏光のみを通過させるようにすることで、ユーザーは、左眼では左眼映像のみを認知でき、右眼では右眼映像のみを認知でき、結果として、出力される映像から立体感を感じることができる。
【００３８】
制御部１５０は、本発明を構成するディスプレイ装置１００の全般的な動作制御を行う。制御部１５０は、図示してはいないが、制御プログラムと制御プログラムが格納されるＲＯＭ、フラッシュメモリーなどのような非揮発性メモリーと、格納された制御プログラムの少なくとも一部がローディングされるＲＡＭのような揮発性のメモリーと、ローディングされた制御プログラムを実行するＣＰＵ（Ｃｅｎｔｒａｌ  Ｐｒｏｃｅｓｓｉｎｇ  Ｕｎｉｔ）、ＭＣＵ（Ｍｉｃｒｏ  Ｃｏｎｔｒｏｌ  Ｕｎｉｔ）などのようなマイクロプロセッサと、を備えることができる。
【００３９】
制御部１５０は、偏光部１４０を通過する光の色の歪みを補償するように信号処理部１２０を制御する。前述したように、ディスプレイパネル１３０から出力された光が第１偏光及び第２偏光に偏光されながら、光の色別に波長が異なる特性から、Ｒ（ｒｅｄ）、Ｇ（ｇｒｅｅｎ）、Ｂ（ｂｌｕｅ）の色の成分別に透過率が異なってくることがあり、図２で説明した通り、各色の成分別に透過する量が異なってくることから、色の歪みが発生することがある。このような色の歪みの問題は、偏光部１４０が動作しない場合にも、すなわち、映像の出力モードが２Ｄモードである場合にも、偏光部１４０の存在により生じることがある。制御部１５０は、このような各色の成分別輝度レベルの減少量に相当する分だけを先補償して出力するように信号処理部を制御することによって、色の歪みを低減することができる。
【００４０】
このような色の歪みは、偏光部を通過した映像が、ユーザーの掛けている３Ｄメガネ２００の左眼及び右眼レンズを通過する場合にも発生することがある。３Ｄメガネ２００の左眼レンズは第１偏光のみを、右眼レンズは第２偏光のみを透過させるから、Ｒ、Ｇ、Ｂの色成分別に透過量が異なり、色の歪みが発生することがある。制御部１５０は、第１偏光の光を透過させる左眼レンズと、第２偏光の光を透過させる右眼レンズとを有する３Ｄメガネ２００を通過した光の色の歪みを補償するように信号処理部１２０を制御することができる。
【００４１】
偏光部１４０及び３Ｄメガネ２００を通過する光の色の歪みの度合を測定する方法には、下記のようなものがある。
【００４２】
その第一に、ディスプレイ装置１００は、３Ｄメガネ２００の色の歪み情報及び偏光部１４０の色の歪み情報の少なくとも一方が記憶された記憶部１６０をさらに備えることができる。
【００４３】
本発明に係るディスプレイ装置１００は、手動方式の３Ｄ偏光メガネを用いるが、３Ｄメガネ２００は、メーカ及び製造方法が相違し、互換性の側面で限界があるから、光の偏光特性に多少の相違がありうる。そのため、各３Ｄメガネ２００別に、特定偏光状態の光が左眼レンズ及び右眼レンズを透過する際に、ＲＧＢ色成分別の輝度減少量に関する光プロフィールをあらかじめ測定し、その結果を記憶部１６０に記憶させておくことができる。この場合、制御部１５０は、記憶部１６０に記憶された情報、すなわち、３Ｄメガネ２００別の光プロフィールに基づいて左眼映像及び右眼映像のＲＧＢ色成分別に輝度を補償するように信号処理部１２０を制御することができる。
【００４４】
また、偏光部１４０を構成する偏光フィルターの種類などによって、偏光部１４０を通過する光の偏光特性が異なることがある。そのため、偏光部１４０のハイ／ロー電圧の駆動によって偏光される第１偏光及び第２偏光のＲＧＢ色成分別の輝度減少量に関する情報をあらかじめ測定し、記憶部１６０に記憶させておくことができる。この場合、制御部１５０は、記憶部１６０に記憶してある情報に基づいてＲＧＢ色成分別に輝度を補償するように信号処理部１２０を制御することができる。
【００４５】
第二に、ディスプレイ装置１００は、偏光部１４０を通過する第１偏光及び第２偏光の光の色の歪み度合を測定する色の歪み測定部１７０をさらに備えることができる。色の歪み測定部１７０は、偏光部１４０を通過する光のＲＧＢ色成分別輝度レベルを測定して制御部１５０にフィードバックで伝達し、制御部１５０は、色の歪み測定部１７０で測定されたＲＧＢ色成分別輝度レベルの減少量に基づいて左眼映像及び右眼映像の輝度を補償することができる。色の歪み測定部１７０は、偏光部１４０の前面に設けられると好ましい。
【００４６】
ディスプレイ装置１００は、ディスプレイパネル１３０を駆動するパネル駆動部１８０をさらに備えることができ、パネル駆動部１８０は、映像信号に対応して、Ｒ、Ｇ、Ｂの各色成分の駆動電圧を別々にすることで、ディスプレイパネル１３０に出力される光量を調節し、その結果、ディスプレイパネル１３０には様々な映像の表示が可能である。そのため、制御部１５０は、色の歪み度合に応じて、ディスプレイパネル１３０に出力されるパネル駆動部のＲ、Ｇ、Ｂのそれぞれの駆動電圧を調整し、Ｒ、Ｇ、Ｂのそれぞれの輝度レベルを変化させることで、色の歪みを補償することができる。
【００４７】
制御部１５０の色の歪み補償の結果として出力される映像のＲ、Ｇ、Ｂ別輝度成分の変化は、図４に示す通りになる。
【００４８】
図４の（ａ−１）及び（ａ−２）は、ユーザーにフルホワイトカラーを認知してもらうために、色の歪み度合に基づき、左眼映像及び右眼映像においてＲＧＢの輝度を補償して出力した、ＲＧＢのそれぞれの輝度レベルを示すグラフである。すなわち、記憶部１６０に記憶されている光プロフィール、または色の歪み測定部１７０により測定された輝度減少量に基づき、左眼映像についてはＲ及びＢ成分の輝度を補償して出力し（ａ−１）、右眼映像についてはＢ成分の輝度を補償して出力する（ａ−２）。偏光部１４０を通過しながら色の歪みが発生すると、左眼映像ではＲ及びＢ成分の輝度レベルが減少し（ｂ−１）、右眼映像ではＢ成分の輝度レベルが減少する（ｂ−２）。なお、３Ｄメガネ２００を通過しながら、最終的に、左眼映像及び右眼映像におけるＲＧＢ成分別輝度レベルが同一になり（ｃ−１、ｃ−２）、ユーザーはフルホワイトカラーを認知することが可能になる。
【００４９】
その結果、偏光メガネを着用する方式の３Ｄディスプレイ装置１００において、ユーザーの認知するイメージの画質を改善し、偏光部１４０の最適設計によっては克服できない、偏光状態の操作による色の歪みの問題を解決することが可能になる。
【００５０】
図５は、本発明に係る映像処理方法の第１の実施例を示すフローチャートである。
【００５１】
本実施例に係る映像処理方法を行うディスプレイ装置１００は、左眼映像及び右眼映像が表示されるディスプレイパネルと、ディスプレイパネルの前面に設けられ、左眼映像を第１偏光、右眼映像を第２偏光の光として通過させる偏光部と、を備える。ディスプレイパネルにはバックライト（図示せず）から出力された光が表示される。ディスプレイパネルは、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などで具現することができ、偏光部は、入射する光を線偏光または円偏光に偏光させる公知の偏光フィルターで構成することができる。
【００５２】
ディスプレイ装置１００は、左眼映像及び右眼映像を含む映像信号を受信し（Ｓ１１０）、受信した映像信号をディスプレイパネルに表示可能な形態に処理する（Ｓ１２０）。
【００５３】
本実施例では、３Ｄメガネ２００における色の歪み情報及び偏光部における色の歪み情報の少なくとも一方を記憶する段階を含むことができる（Ｓ１３０）。
【００５４】
本発明に係るディスプレイ装置１００は、手動方式の３Ｄ偏光メガネを用いるが、３Ｄメガネ２００は、
本発明に係るディスプレイ装置１００は、手動方式の３Ｄ偏光メガネを用いるが、３Ｄメガネ２００は、メーカ及び製造方法が相違し、互換性の側面で限界があるから、光の偏光特性に多少の相違がありうる。そのため、各３Ｄメガネ２００別に、特定偏光状態の光が左眼レンズ及び右眼レンズを透過する際に、各色成分別の輝度減少量に関する光プロフィールをあらかじめ測定し、その結果を記憶させることができる。この場合、ディスプレイ装置１００は、記憶された情報、すなわち、３Ｄメガネ２００別の光プロフィールに基づいて左眼映像及び右眼映像のＲＧＢ色成分別に輝度を補償することができる。
【００５５】
また、偏光部１４０を構成する偏光フィルターの種類などによって、偏光部１４０を通過する光の偏光特性が異なることがある。そのため、偏光部のハイ／ロー電圧の駆動によって偏光される第１偏光及び第２偏光のＲＧＢ色成分別の輝度減少量に関する情報をあらかじめ測定して記憶させることができる。この場合、ディスプレイ装置１００は、記憶された情報に基づいてＲＧＢ色成分別に輝度を補償することができる。
【００５６】
次に、偏光部を通過する第１偏光及び第２偏光の光の色の歪みを補償する（Ｓ１４０）。上述したように、ディスプレイパネル１３０から出力された光が第１偏光及び第２偏光に偏光されながら、光の色別に波長が異なる特性から、Ｒ（ｒｅｄ）、Ｇ（ｇｒｅｅｎ）、Ｂ（ｂｌｕｅ）の色の成分別に透過率が異なってくることがあり、図２で説明した通り、各色の成分別に透過する量が異なってくることから、色の歪みが発生することがある。ディスプレイ装置１００は、このような各色の成分別輝度レベルの減少量に相当する分だけを先補償することで、色の歪みを低減することができる。
【００５７】
ここで、左眼映像及び右眼映像は交互に表示され、偏光部は、３Ｄ出力モードでは、左眼映像及び右眼映像を第１偏光及び第２偏光の光として交互に通過させることができる。偏光部には、出力される映像に同期してハイ／ローの電圧が交互に入力される。左眼映像が出力される場合には、ハイ電圧が入力され、左眼映像を第１偏光（例えば、水平偏光）として通過させ、右眼映像が出力される場合には、ロー電圧が入力され、右眼映像を第２偏光（例えば、垂直偏光）として通過させる。
【００５８】
ここで、第１偏光及び第２偏光は線偏光であり、偏光方向は相互垂直であってもよく、第１偏光及び第２偏光は円偏光または楕円偏光であり、偏光方向は相互反対方向であってもよい。
【００５９】
この場合、ユーザーの着用した３Ｄメガネ２００の左眼レンズは第１偏光のみを通過させ、右眼レンズは第２偏光のみを通過させるようにすることで、ユーザーは、左眼では左眼映像のみを認知でき、右眼では右眼映像のみを認知でき、結果として、出力される映像から立体感を感じることができる。
【００６０】
光の偏光特性による色の歪みは、偏光部を通過した映像が、ユーザーの掛けている３Ｄメガネ２００の左眼及び右眼レンズを通過する場合にも発生することがある。３Ｄメガネ２００の左眼レンズは第１偏光のみを、右眼レンズは第２偏光のみを透過させるから、Ｒ、Ｇ、Ｂの色成分別に透過量が異なり、色の歪みが発生することがある。ディスプレイ装置１００は、第１偏光の光を透過させる左眼レンズと、第２偏光の光を透過させる右眼レンズとを有する３Ｄメガネ２００を通過した光の色の歪みを補償することができる。
【００６１】
ここで、色の歪みを補償する段階は、色の歪み度合に基づき、ディスプレイパネルを駆動するＲ、Ｇ、Ｂの駆動電圧を調整し、出力されるＲ、Ｇ、Ｂの各色成分の光量を調節することによって、色の歪みを補償することができる。
【００６２】
ディスプレイ装置１００は、上記段階で色の歪みが補償された映像をディスプレイパネルに表示することによって（Ｓ１５０）、ユーザーの認知するイメージの画質を改善し、偏光部の最適設計によって克服できない、偏光状態の操作による色の歪みの問題を解決することが可能になる。
【００６３】
図６は、本発明に係る映像処理方法の第２の実施例を示すフローチャートである。
【００６４】
ディスプレイ装置１００は、眼映像及び右眼映像を含む映像信号を受信し（Ｓ２１０）、受信した映像信号をディスプレイパネルに表示可能な形態に処理する（Ｓ２２０）。
【００６５】
色の歪みの度合を測定する方法に関し、本実施例では、偏光部を通過する第１偏光及び第２偏光の光の色の歪み度合を測定する段階をさらに含むことができる（Ｓ２３０）。ディスプレイ装置１００は、偏光部を通過する光のＲＧＢ色成分別輝度レベルを測定し、測定された色成分別輝度レベルの減少量に基づいて左眼映像及び右眼映像の輝度を補償することができる（Ｓ２４０）。
【００６６】
ディスプレイ装置１００は、色の歪みの補償された映像をディスプレイパネルに表示することによって（Ｓ２５０）、ユーザーの認知するイメージの画質を改善し、偏光部の最適設計によって克服できない、偏光状態の操作による色の歪みの問題を解決することが可能になる。
【００６７】
以上、添付の図面を参照して本発明の実施例を説明してきたが、本発明の属する技術の分野における通常の知識を有する者であれば、本発明の技術的思想や必須の特徴から逸脱することなく、他の具体的な実施の形態も可能であるということが理解されるであろう。そのため、以上で記述した実施例はいずれの面においても例示的なもので、限定的なものと理解してはならない。したがって、本発明の範囲は、上記の詳細な説明に限定されず、添付の特許請求の範囲により定められ、特許請求の範囲及びその均等範囲でなされた変更や変形も、本発明の範囲に含まれるものと解釈しなければならない。
【符号の説明】
【００６８】
１００    ディスプレイ装置
１１０    信号受信部
１２０    信号処理部
１３０    ディスプレイパネル
１４０    偏光部
１５０    制御部
１６０    記憶部
１７０    色の歪み測定部
１８０    パネル駆動部
２００    ３Ｄメガネ
【図１】
2013081167.tif 000003
【図２】
2013081167.tif 000004
【図３】
2013081167.tif 000005
【図４】
2013081167.tif 000006
【図５】
2013081167.tif 000007
【図６】
2013081167.tif 000008